(57)【要約】【課題】  本発明は、電子機器、コンデンサ及び電子機器におけるコンデンサの実装方法に関し、例えば電子スチルカメラ、携帯電話、ＰＤＡ等に適用して、大容量のコンデンサを設ける場合であっても、電子機器を薄型化することができるようにする。【解決手段】  本発明は、陽極用電極及び陰極用電極を交互に積層して平板形状によりコンデンサを形成し、このコンデンサを電子機器に対向するようにしてバッテリ１１側に設ける。【選択図】        図１
2005063879.tif 000002
【特許請求の範囲】
【請求項１】
電子機器に脱着自在に保持されて、ケースに収納した二次電池セルの電力を前記電子機器に供給するバッテリにおいて、
陽極用電極及び陰極用電極を交互に積層して平板形状により形成されたコンデンサを、前記陽極用電極が前記電子機器と対向するように保持した
ことを特徴とするバッテリ。
【請求項２】
前記ケースの前記電子機器と対向する面の平坦な部位に、前記コンデンサを沿わせて保持した
ことを特徴とする請求項１に記載のバッテリ。
【請求項３】
前記対向する面に、前記コンデンサを前記電子機器に接続する端子を有する
ことを特徴とする請求項１に記載のバッテリ。
【請求項４】
前記コンデンサが、瞬時電流による電源電圧の降下を緩和するコンデンサである
ことを特徴とする請求項１に記載のバッテリ。
【請求項５】
前記コンデンサが、電源電圧の平滑化用のコンデンサである
ことを特徴とする請求項１に記載のバッテリ。
【請求項６】
前記コンデンサが、充電した電力の放電により一時的に電子部品を駆動するコンデンサである
ことを特徴とする請求項１に記載のバッテリ。
【請求項７】
前記電子部品が、発光素子である
ことを特徴とする請求項６に記載のバッテリ。
【請求項８】
脱着自在に保持したバッテリから電力の供給を受ける電子機器において、
前記バッテリは、
陽極用電極及び陰極用電極を交互に積層して平板形状により形成されたコンデンサを、前記陽極用電極が前記電子機器と対向するように保持し、
前記電子機器は、
内蔵の電子回路に係るコンデンサが前記バッテリに保持されたコンデンサにより形成された
ことを特徴とする電子機器。
【請求項９】
前記バッテリに保持されたコンデンサが、瞬時電流による前記バッテリによる電源電圧の降下を緩和するコンデンサである
ことを特徴とする請求項８に記載の電子機器。
【請求項１０】
前記バッテリに保持されたコンデンサが、内蔵の電源回路で生成される電源電圧の平滑化用のコンデンサである
ことを特徴とする請求項８に記載の電子機器。
【請求項１１】
前記バッテリに保持されたコンデンサが、充電した電力の放電により一時的に電子部品を駆動するコンデンサである
ことを特徴とする請求項８に記載の電子機器。
【請求項１２】
前記電子部品が、発光素子である
ことを特徴とする請求項１１に記載の電子機器。
【請求項１３】
脱着自在に保持されたバッテリからの電力により動作する電子機器におけるコンデンサの実装方法において、
前記電力による電子回路のコンデンサのうちの少なくとも１つを、陽極用電極及び陰極用電極を交互に積層して平板形状により形成し、前記バッテリ側に配置する
ことを特徴とする電子機器におけるコンデンサの実装方法。
【発明の詳細な説明】
【技術分野】
【０００１】
本発明は、バッテリ、電子機器及び電子機器におけるコンデンサの実装方法に関し、例えば電子スチルカメラ、携帯電話、ＰＤＡ（Personal Digital Assistants ）等に適用することができる。本発明は、陽極用電極及び陰極用電極を交互に積層して平板形状によりコンデンサを形成し、このコンデンサを電子機器に対向するようにしてバッテリ側に設けることにより、大容量のコンデンサを設ける場合であっても、電子機器を薄型化することができるようにする。
【背景技術】
【０００２】
従来、電子スチルカメラ等の携帯側電子機器は、携帯性を向上するために薄型化され、そのため実装に供する電子部品についても、厚みの薄い電子部品が適用されるようになされている。しかしながら大容量のコンデンサである電解コンデンサにあっては、他の部品に比して厚みが厚く、この種の電子機器では、このような大容量のコンデンサの実装を避け得ない。
【０００３】
すなわちこの種の電子機器は、例えば二次電池、太陽電池等の電源により動作する。しかしながらこれらの電源は、比較的内部抵抗が大きい欠点があり、これによりこれらの電源では、瞬間的に大きな電流が流れると電源電圧の降下が激しくなる。このためこの種の電子機器は、大容量のコンデンサに充電した電力により瞬時電流による電源電圧の降下を緩和して電源のインピーダンスを下げ、安定な動作を確保するようになされている。
【０００４】
またこの種の電子機器は、ＤＣ−ＤＣコンバータ等による昇圧回路でこのような電源を昇圧して所望する電源電圧を確保するようになされており、このような昇圧回路においても、電源電圧の平滑化を目的として大容量のコンデンサが用いられるようになされている。
【０００５】
また電子スチルカメラは、フラッシュにより被写体を照明するものもあり、このような電子機器においては、シャッターの操作に応動してキセノンランプ等による発光体を高電圧（キセノンランプの場合２５０〔Ｖ〕前後）、大電力により瞬間的に駆動するようになされており、大容量のコンデンサ（数１００〔μＦ〕程度）に充電した電力の放電によりこのような発光体の駆動用電源を供給するようになされている。
【０００６】
これらによりこの種の電子機器においては、このような大容量のコンデンサの厚みで全体の厚みが制限され、結局、薄型化が困難な問題があった。
【０００７】
このような携帯側電子機器に関して、例えば特開平２−７９３７３号公報等に、電池の収納方法が提案されるようになされている。
【特許文献１】特開平２−７９３７３号公報
【発明の開示】
【発明が解決しようとする課題】
【０００８】
本発明は以上の点を考慮してなされたもので、大容量のコンデンサを設ける場合であっても、薄型化することができるバッテリ、電子機器及び電子機器におけるコンデンサの実装方法を提案しようとするものである。
【課題を解決するための手段】
【０００９】
係る課題を解決するため請求項１の発明においては、電子機器に脱着自在に保持されて、ケースに収納した二次電池セルの電力を電子機器に供給するバッテリに適用して、陽極用電極及び陰極用電極を交互に積層して平板形状により形成されたコンデンサを、陽極用電極が電子機器と対向するように保持する。
【００１０】
また請求項８の発明においては、脱着自在に保持したバッテリから電力の供給を受ける電子機器に適用して、バッテリは、陽極用電極及び陰極用電極を交互に積層して平板形状により形成されたコンデンサを、陽極用電極が電子機器と対向するように保持し、電子機器は、内蔵の電子回路の構成に係るコンデンサがバッテリに保持されたコンデンサにより形成されてなるようにする。
【００１１】
また請求項１３の発明においては、脱着自在に保持されたバッテリからの電力により動作する電子機器におけるコンデンサの実装方法に適用して、電力による電子回路のコンデンサのうちの少なくとも１つを、陽極用電極及び陰極用電極を交互に積層して平板形状により形成し、バッテリ側に配置する。
【００１２】
請求項１の構成において、陽極用電極及び陰極用電極を交互に積層して平板形状により形成されたコンデンサにあっては、薄型化することができる。これにより請求項１の構成により、電子機器に脱着自在に保持されて、ケースに収納した二次電池セルの電力を電子機器に供給するバッテリに適用して、陽極用電極及び陰極用電極を交互に積層して平板形状により形成されたコンデンサを、陽極用電極が電子機器と対向するように保持すれば、電子機器にバッテリを保持する部位を有効に利用して、この薄型のコンデンサを配置することができ、その分、電子機器の全体形状を薄型化することができる。
【００１３】
これにより請求項８の構成によれば、大容量のコンデンサを設ける場合であっても、全体形状を薄型化することができる電子機器を提供することができ、また請求項１３の構成によれば、大容量のコンデンサを設ける場合であっても、全体形状を薄型化することができる電子機器におけるコンデンサの実装方法を提供することができる。
【発明の効果】
【００１４】
本発明によれば、大容量のコンデンサを設ける場合であっても、薄型化することができるバッテリ、電子機器及び電子機器におけるコンデンサの実装方法を提供することができる。
【発明を実施するための最良の形態】
【００１５】
以下、適宜図面を参照しながら本発明の実施例を詳述する。
【実施例１】
【００１６】
（１）実施例１の構成
図１は、本発明の実施例１に係る携帯型電子機器である電子スチルカメラを示す斜視図である。この電子スチルカメラ１は、厚みの薄い横長の長方形形状により形成される。電子スチルカメラ１は、正面側より見て、この横長の一端側にレンズ２が設けられ、また上端側に、ファインダー窓３、フラッシュ４が設けられ、またレンズ２に近接してほぼ中央にマイク５、セルフタイマランプ６が設けられる。これにより電子スチルカメラ１は、正面側の中央から左側、上端側を除く部位に、略長方形形状により平坦な部位が形成されるようになされている。電子スチルカメラ１は、さらに上端面には、シャッターボタン７、電源スイッチ８が設けられ、背面側には液晶画面、各種操作子等が設けられる。
【００１７】
電子スチルカメラ１は、このようにレンズ２等が設けられてなる正面側の正面ケース１０Ａと、この正面ケース１０Ａと対向する背面ケース１０Ｂとにより外装が形成され、これらケース１０Ａ及び１０Ｂに各種電子部品を実装した配線基板等が収納される。電子スチルカメラ１は、このように外装を形成する正面ケース１０Ａにおいて、正面側の中央から左側、上端側を除く平坦な面の部位に、平板形状によるバッテリ１１が配置される。
【００１８】
すなわち電子スチルカメラ１においては、この正面ケース１０Ａの平坦な部位が、ほぼバッテリ１１の厚みの分だけ凹形状により形成され、この凹形状による箇所の壁面に、バッテリ１１をガイドするガイド溝が設けられ、さらにこのガイド溝によりガイドされたバッテリ１１を脱着可能に保持する保持機構が設けられる。これにより電子スチルカメラ１では、端部側よりこの凹形状による部位にバッテリ１１を差し込むことにより、バッテリ１１を取り付けることができるようになされている。
【００１９】
図２（Ａ）〜（Ｃ）は、それぞれこのバッテリ１１を示す平面図、正面図及び側面部である。バッテリ１１は、平板形状によりバッテリ本体１２が形成され、このバッテリ本体１２で最も面積の広い平坦な面であり、かつ電子スチルカメラ１に装着した際に電子スチルカメラ１側となる電子スチルカメラ１と対向する面である主要面Ｍ１に大容量のコンデンサ１３が配置される。
【００２０】
ここでバッテリ本体１２は、図２（Ａ）〜（Ｃ）との対比により図３（Ａ）〜（Ｃ）に示すように、例えばリチウムイオン二次電池による二次電池セル、この二次電池セルの充放電を管理する制御回路等を平板形状のケースに収納して形成される。バッテリ本体１２は、この主要面の短辺に沿った部位に、コンデンサ１３を電子スチルカメラ１に接続する端子１８Ａ及び１８Ｂ、二次電池セルの電力を電子スチルカメラ１に供給する端子１９Ａ及び１９Ｃ、この電力用の端子１９Ａ及び１９Ｃのアース側端子１９Ｃとアースを共通にして、制御回路による制御結果を電子スチルカメラ１に通知するデータ通信用の端子１９Ｂが設けられるようになされている。
【００２１】
これに対してコンデンサの基本構成は、図４（Ａ）に示すように、誘電体２５を間に挟んで電極２６Ａ及び２６Ｂを対向させるものである。従来、大容量のコンデンサである電解コンデンサにおいては、図４（Ｂ）に示すように、酸化皮膜による誘電体膜を形成してなる陽極用電極２６Ａ、電解液を含浸した電解紙２７、アルミ箔等による陰極用電極２６Ｂを積層した積層体を細長いシート状により形成し、この積層体を巻回して円柱形状により形成される。これにより従来の大容量コンデンサにおいては、これら積層体の厚みを薄くし、さらには幅を狭くして形状を小型化するようになされ、また積層体の面積を増大させて容量を増大させるようになされている。しかしてこの場合、この従来のコンデンサにおいては、この積層体の幅×円柱形状の径が概略、外形形状となり、この幅又は径により実装する装置の厚みが制限されることになる。
【００２２】
これに対してこの電子スチルカメラ１に適用されるコンデンサ１３は、電解コンデンサであり、図４（Ｃ）に示すように、電解紙（図示せず）を間に挟んで、必要とする容量の分、シート材による陽極用電極２６Ａ、陰極用電極２６Ｂを交互に積層し、保護シートにより封止して全体が平板形状により形成される。これによりこのコンデンサ１３は、従来に比して電極２６Ａ及び２６Ｂの投影面積を格段的に大きくし、その分、極端に厚みを薄くするようになされている。
【００２３】
コンデンサ１３は、例えばエポキシ樹脂等による接着剤を用いた接着により、バッテリ本体１２の主要面Ｍ１に保持される。また陽極用電極２６Ａ及び陰極用電極２６Ｂがそれぞれ内部で接続されてバッテリ本体１２の内部に引き込まれ、バッテリ１１においては、端子１８Ａ及び１８Ｂに、これら内部に引き込まれた電極２６Ａ及び２６Ｂの配線がそれぞれ接続されるようになされている。
【００２４】
電子スチルカメラ１は、このバッテリ１１を配置する部位に、これら端子１８Ａ及び１８Ｂ、１９Ａ〜１９Ｃに接触するように、弾性を有する接点が設けられ、これによりバッテリ１１より電力の供給を受けて動作するようになされ、さらにコンデンサ１３を内部の電子回路に接続するようになされている。
【００２５】
図５は、この電子スチルカメラ１におけるバッテリ１１の周辺回路を示す接続図である。この電子スチルカメラ１においては、このように脱着可能に保持されたバッテリ１１に内蔵の二次電池３６の電源が配線基板３２に供給され、配線基板３２は、この電源を電解コンデンサＣ１、バイパス用コンデンサＣ２を介して図示しない電源回路に供給し、この電源回路より各回路ブロックに動作用の電源を供給するようになされている。なおこの図５において、符号Ｒｓは、二次電池３６の内部抵抗である。
【００２６】
さらに配線基板３２は、図示しないコントローラの制御により、ユーザーによるシャッターの操作に応動して、ＤＣ−ＤＣ変換器３８の動作を立ち上げ、バッテリ１１から供給される電源よりフラッシュ用の高電圧を生成する。配線基板３２は、この高電圧によりバッテリ１１に設けられた大容量のコンデンサ１３を徐々に充電してコンデンサ１３の端子電圧を徐々に立ち上げる。配線基板３２は、このコンデンサ１３に蓄積される電力の放電によりフラッシュ４を駆動し、これにより所望の被写体を照明することができるようになされている。
【００２７】
（２）実施例の動作
以上の構成において、電子スチルカメラ１に適用されるバッテリ１１は（図２〜図４）、電解紙を間に挟んで、必要とする容量の分、シート材による陽極用電極２６Ａ、陰極用電極２６Ｂを交互に積層して平板形状によりコンデンサ１３が形成され、このコンデンサ１３の陽極用電極２６Ａが電子スチルカメラ１と対向するように、電子スチルカメラ１に対向する面であって、最も面積の広い主要面Ｍ１にコンデンサ１３が保持されて形成される。
【００２８】
これによりこのコンデンサ１３を実装する電子機器においては、従来の形状によるコンデンサを使用する場合に比して、格段的に電子機器の厚みを薄くすることができる。
【００２９】
すなわちこの種のバッテリにより動作する携帯型の電子機器において、バッテリの形状により厚みが制限されて問題となる機器においては、ほぼ平板形状により形成され、またバッテリを装着した際にも、バッテリを装着したことによる厚みの増大が目立たないように形状が工夫される。これによりバッテリを装着する面においては、比較的、大きな平坦な面により形成される。またこのような平板形状によりバッテリ１１を形成した場合には、必然的にバッテリを装着する面においては、大きな平坦な面により形成される。
【００３０】
これによりコンデンサ１３を平板形状に形成して、このような平坦な大きな面積の面に配置すれば、大容量のコンデンサを効率良く配置することができる。これによりコンデンサの厚みにより制限されることなく機器の厚みを薄くことができる。またコンデンサにおいても、充分な電極面積を確保し得、これにより充分な容量を確保することができる。
【００３１】
すなわち従来の円柱形状によるコンデンサにおいて、円柱形状に係る底面の面積をＳ１、高さをＨ１とすると、容量はＳ１×Ｈ１にほぼ比例する。これに対してコンデンサ１３においては、取り付け可能な平坦な領域の面積がＳ２の場合、この従来例に係るコンデンサと同一の容量を確保するとして、厚みはＳ１×Ｈ１／Ｓ２となる。これにより例えばＳ１／Ｓ２＝１／１０であればキャパシター全体での厚みは１／１０となり、一般の機器においては、これより大きな比率を確保し得ることにより、コンデンサ１３においては、従来に比して厚みを激減させて充分な容量を確保することができる。
【００３２】
またこのように積層構造によりコンデンサ１３を作成する場合には、いわゆるエッジ効果により効率を向上し得、これによっても体積に対する容量を大きくすることができる。これにより小型の携帯機器等に適用して、瞬時電流変化の大きな回路等に利用することができる。具体的には、瞬時に流れる電流は大きいものの、通常の動作電流が少ない回路、又はこのような通常の動作電流が殆ど流れないような回路に適用することができる。
【００３３】
またこのように薄型化することができることにより、可撓性を備えるようにコンデンサ１３を作成することもでき、これにより例えば電子機器に装着する側の面とは逆側の面であって、丸みを帯びた面であっても、シリンドリカル面であれば、コンデンサ１３を配置することができる。なお厚みを厚くして可撓性が失われる場合でも、外装の内側面がシリンドリカル面である場合には、この内側面に沿うようにコンデンサ１３を湾曲させて作成することもでき、この場合もバッテリ１１の表面を有効に利用してコンデンサ１３を配置することができる。これらによりこの実施例では、大容量のコンデンサを設ける場合であっても、電子機器を薄型化することができるようになされている。
【００３４】
電子スチルカメラ１では（図５）、このコンデンサ１３がフラッシュ４の駆動回路であるＤＣ−ＤＣ変換器３８に接続されて、発光体であるフラッシュの駆動用電源の充電に使用され、これにより電子スチルカメラ１では、このような発光体の駆動に供する大容量のコンデンサを実装する場合でも、全体形状を薄型化することができる。しかしてこれによりこの電子スチルカメラ１では、種々の場所に携帯して、例えば明かりの不足する夕方、夜間、屋内等において、充分な光量により所望する被写体を撮像することができる。
【００３５】
なお通常の電子スチルカメラに適用されるフラッシュにおいては、発光時における消費エネルギーが７．８〔Ｗｓｅｃ〕程度、アーク長が１３．５〔ｍｍ〕程度、最低発光電圧が２４０〔Ｖ〕以下のものが適用される。このようなフラッシュ４を定格で発光させる場合、コンデンサ１３においては、容量４２〜２５０〔μＦ〕、耐圧３１５〔Ｖ〕程度のものが必要とされ、この程度の容量、耐圧のコンデンサであってもこの実施例に係るコンデンサ１３にあっては、薄い厚みにより作成することができる。
【００３６】
またこのようなコンデンサ１３がケースの表面に沿って設けられていることにより、電子スチルカメラ１においては、このコンデンサ１３により不要輻射の低減も期待される。
【００３７】
（３）実施例の効果
以上の構成によれば、陽極用電極及び陰極用電極を交互に積層して平板形状によりコンデンサを形成し、このコンデンサを電子機器である電子スチルカメラ１に対向するようにしてバッテリ側に設けることにより、大容量のコンデンサを設ける場合であっても、電子機器を薄型化することができる。
【００３８】
また電子スチルカメラと対向する面の平坦な部位にコンデンサを設けたことにより、機器に装着した状態においては、機器によりコンデンサの露出が防止され、これにより簡易な外装によりコンデンサを作成した場合においても、充分な信頼性を確保することができる。
【００３９】
またこのコンデンサが、充電した電力の放電により一時的に電子部品を駆動するコンデンサであることにより、さらにはこの電子部品が、発光素子であることにより、発光素子等を駆動するのに必要な大容量のコンデンサを設ける場合であっても、電子機器を薄型化することができる。
【実施例２】
【００４０】
図６は、本発明の実施例２に係る電子スチルカメラに適用されるバッテリを対応する回路ブロックと共に示す接続図である。この電子スチルカメラでは、実施例１について上述したと同様にしてバッテリ１１が実装され、このバッテリ１１のコンデンサ１３がこの図６に示す回路ブロックに適用される。なおこの実施例に係る電子スチルカメラは、この図６に係る構成が異なる点を除いて、実施例１の電子スチルカメラと同一に構成される。
【００４１】
すなわちこの電子スチルカメラにおいては、配線基板３２に実装されたＤＣ−ＤＣ変換器４８によりバッテリ１１の電源を昇圧して所望の電圧による電源を生成するようになされ、コンデンサ１３は、この電源の平滑用に適用される。
【００４２】
この実施例のように平滑用に必要な大容量のコンデンサを設ける場合であっても、実施例１と同一の効果を得ることができる。
【実施例３】
【００４３】
図７は、本発明の実施例３に係る電子スチルカメラに適用されるバッテリを対応する回路ブロックと共に示す接続図である。この電子スチルカメラでは、実施例１について上述したと同様にしてバッテリ１１が実装され、このバッテリ１１のコンデンサ１３がこの図７に示す回路ブロックに適用される。なおこの実施例に係る電子スチルカメラは、この図７に係る構成が異なる点を除いて、実施例１の電子スチルカメラと同一に構成される。
【００４４】
すなわちこの電子スチルカメラにおいては、配線基板３２に入力されるバッテリ１１による電源のデカップリング用にコンデンサ１３が適用され、瞬時電流による電源電圧の降下を緩和する。
【００４５】
この実施例のようにデカップリング用にコンデンサを適用して、瞬時電流による電源電圧の降下を緩和する場合であっても、実施例１と同一の効果を得ることができる。
【実施例４】
【００４６】
この実施例においては、図６及び図７との対比により図８に示すように、２種類のコンデンサを一体にバッテリ４１に保持する。なおこの実施例では、２種類のコンデンサがバッテリ４１に実装され、このコンデンサがそれぞれ電子スチルカメラの対応する回路ブロックに接続される点を除いて、上述の実施例と同様に構成される。
【００４７】
この実施例のように、複数のコンデンサをバッテリに実装するようにしても、上述の実施例と同様の効果を得ることができる。
【実施例５】
【００４８】
なお上述の実施例においては、バッテリ本体の主要面にコンデンサを沿わせて配置するについて述べたが、本発明はこれに限らず、主要面とこの主要面に対向する面の双方に沿わせて配置するようにしてもよい。この場合に、図２との対比により図９に示すように、これら２つの面と側面とに沿うようにコンデンサ４３を配置してもよく、また図１０に示すように全体を囲むようにコンデンサ４４を配置してもよい。
【００４９】
また上述の実施例においては、バッテリのケースに沿わせるようにコンデンサを配置する場合について述べたが、本発明はこれに限らず、要は電子機器と対向するように配置して全体形状を薄型化することができ、例えばバッテリと共にケースに収納するようにしてもよい。
【００５０】
また上述の実施例においては、バッテリの表面が露出するように電子機器の表面にバッテリを配置する場合について述べたが、本発明はこれに限らず、例えば電子機器に設けた開口によりバッテリを挿入して配置する場合等、バッテリの配置方法にあっては、種々の配置方法を広く適用することができる。
また上述の実施例においては、酸化皮膜による誘電体膜を形成してなる陽極用電極、電解紙、陰極用電極による電解コンデンサに本発明を適用する場合について述べたが、本発明はこれに限らず、例えば電気二重層によるコンデンサ等、種々の電解コンデンサに広く適用することができる。
【００５１】
また上述の実施例においては、本発明を電子スチルカメラに適用する場合について述べたが、本発明はこれに限らず、携帯電話、ＰＤＡ、ビデオカメラ等、バッテリにより動作する携帯型の各種電子機器、さらには据え置き型の電子機器等に広く適用することができる。
【産業上の利用可能性】
【００５２】
本発明は、電子スチルカメラ、携帯電話、ＰＤＡ等に適用することができる。
【図面の簡単な説明】
【００５３】
【図１】本発明の実施例１に係る電子スチルカメラを示す斜視図である。
【図２】図１の電子スチルカメラに適用されるバッテリを示す平面図、正面図及び側面図である。
【図３】図２のバッテリに適用されるコンデンサを示す平面図、正面図及び側面図である。
【図４】図３のコンデンサの説明に供する断面図である。
【図５】図２のコンデンサの周辺回路を示す接続図である。
【図６】本発明の実施例２に係る電子スチルカメラに適用されるバッテリの周辺回路を示す接続図である。
【図７】本発明の実施例３に係る電子スチルカメラに適用されるバッテリの周辺回路を示す接続図である。
【図８】本発明の実施例４に係る電子スチルカメラに適用されるバッテリの周辺回路を示す接続図である。
【図９】本発明の実施例５に係る電子スチルカメラに適用されるバッテリの平面図、正面図及び側面図である。
【図１０】本発明の実施例５に係る電子スチルカメラに適用される他のバッテリの平面図、正面図及び側面図である。
【符号の説明】
【００５４】
１……電子スチルカメラ、１０Ａ……正面ケース、１０Ｂ……背面ケース、１１、４１……バッテリ、１２……バッテリ本体、１３、４１、４３、４４……コンデンサ、１８Ａ、１８Ｂ、１９Ａ〜１９Ｃ……端子、２６Ａ……陽極用電極、２６Ｂ……陰極用電極
【図１】
2005063879.tif 000003
【図２】
2005063879.tif 000004
【図３】
2005063879.tif 000005
【図４】
2005063879.tif 000006
【図５】
2005063879.tif 000007
【図６】
2005063879.tif 000008
【図７】
2005063879.tif 000009
【図８】
2005063879.tif 000010
【図９】
2005063879.tif 000011
【図１０】
2005063879.tif 000012